(57)【要約】【課題】スタンパ内周部の保持部品であるスタンパホルダーにホルダースリーブを介しエアで駆動させる事を特徴とし、スタンパホルダーの脱着が容易にでき、スタンパ交換作業性、スタンパ保持バランスを向上させ、光ディスク成形品の品質を向上、メンテナンス費低減、低コストで製作可能な成形金型を提供する。【解決手段】固定側金型と可動側金型とからなり、光ディスクを成形する金型において、装着するスタンパ１４の内周部を保持するスタンパホルダー１５と、複数のエア回路１８、１９と、複数のエア回路１８、１９からエア供給に使用するエア回路を選択する切り替え部材２０とを備え、切り替え部材２０により、エア供給に使用するエア回路を変更し、スタンパホルダー１５をエア供給で駆動させてスタンパ１４の装着保持又は保持解除を行い、スタンパ１４交換を可能とする。切り替え部材は、エア切り替えバルブ２０である。【選択図】図１
2009018444.tif 000002
【特許請求の範囲】
【請求項１】
固定側金型と可動側金型とからなり、光ディスクを成形する金型において、
装着するスタンパの内周部を保持するスタンパホルダーと、複数のエア回路と、前記複数のエア回路からエア供給に使用するエア回路を選択する切り替え部材とを備え、前記切り替え部材により、エア供給に使用するエア回路を変更し、前記スタンパホルダーをエア供給で駆動させて前記スタンパの装着保持又は保持解除を行い、スタンパ交換を可能とすることを特徴とする光ディスク成形金型。
【請求項２】
請求項１記載の光ディスク成形金型において、
前記切り替え部材は、エア切り替えバルブであることを特徴とする光ディスク成形金型。
【発明の詳細な説明】
【技術分野】
【０００１】
本発明は、光ディスク成形金型に関し、特に光ディスクを成形する金型へ装着するスタンパの保持方法に係わり、スタンパの交換性、成形品品質の向上できる金型構造に関する。
【背景技術】
【０００２】
光ディスク金型の成形は、その成形するディスクの種類、コンテンツに応じたスタンパを金型に装着し溶融樹脂を金型内へ注入させ、スタンパの持つ情報を冷却固化される溶融樹脂へ転写させながら成形している（特許文献１〜３参照）。
その円盤形状をしたスタンパの多くは、スタンパ中央部の内周部と外形部の外周部で金型へ装着保持されるが、内周部の保持方法には円筒形状にスタンパを引っ掛ける為のツメ形状を設けたスタンパホルダー部品を使用し金型へ装着する事が多くある。
【０００３】
スタンパ交換時のスタンパホルダーを金型より脱着する手段としては、特許文献１で開示しているように、金型の外側から金型中央部に装着されるスタンパホルダーに向かって、切欠き形状を設けた２本のシャフトを金型内に組込み、これをシャフトの径方向におのおのを正転、逆転回転させる事により、スタンパホルダーに設けたツバ形状とシャフトの切り欠き形状とでクランプ、解除しスタンパホルダーが脱着されるといった方法がある。この方法ではシャフトの切り欠き形状部がスタンパホルダーのツバ部をクランプし保持するが、２本それぞれのシャフトがスタンパホルダーへのクランプ力のバラツキより、スタンパホルダーが傾いて金型に装着され、光ディスク成形品の品質が低下したり、スタンパホルダーの脱着を繰り返す事でシャフト切り欠き部が磨耗しクランプ性が悪くなり、金型部品の短寿命による金型メンテ費用が増大する。またシャフトを挿入する為の金型への穴加工が困難で高精度を要する事からコスト高となってしまう等の問題がある。
【特許文献１】特開平６−９８６４７号公報
【特許文献２】特開平５−９２４４９号公報
【特許文献３】特開平９−１４１７０７号公報
【発明の開示】
【発明が解決しようとする課題】
【０００４】
上記したように、従来のスタンパ装着保持、解除法ではスタンパの保持バランス不均一による光ディスク成形品への品質的影響、シャフト切り欠き部、スタンパホルダーツバ部の磨耗によるスタンパ装着時の信頼性低下、また金型製作が構造的にコスト高となってしまう等の課題がある。
【０００５】
本発明は上記の課題を解決しようとするもので、スタンパを均一に信頼性高く保持できる光ディスク成形金型を低コストで提供する事にある。
【課題を解決するための手段】
【０００６】
本発明は、上記目的を達成する為に、固定側金型と可動側金型とからなり、光ディスクを成形する金型において、装着するスタンパの内周部を保持するスタンパホルダーと、複数のエア回路と、前記複数のエア回路からエア供給に使用するエア回路を選択する切り替え部材とを備え、前記切り替え部材により、エア供給に使用するエア回路を変更し、前記スタンパホルダーをエア供給で駆動させて前記スタンパの装着保持又は保持解除を行い、スタンパ交換を可能とする光ディスク成形金型である。
【０００７】
また、本発明は、前記切り替え部材は、エア切り替えバルブである光ディスク成形金型である。
【発明の効果】
【０００８】
本発明によれば、光ディスク成形金型において、スリーブ状のホルダースリーブ部品へ型内へ送られたエアの圧力が均等に掛かり、そのホルダースリーブ部品とスタンパホルダーを引っかけてスタンパを装着保持するため傾き難く、光ディスク成形品の品質が向上する。またスタンパホルダーのツバ部分が磨耗する事もないので装着保持の信頼性向上とメンテナンス費用の低減、金型構造が簡単になるので金型製作費の低減を図る事が出来る。
【発明を実施するための最良の形態】
【０００９】
発明を実施するための最良の形態を説明する。
本発明は、金型内に前進・後退の移動が可能でかつ内周面側にツバとなる形状を設けたスリーブ状の部品ホルダースリーブを組込み、ここへスタンパホルダー部品のツバ形状とをお互いを引っ掛ける構造とし、金型内に設けたエア回路にエアを送る事により、そのエア圧力でホルダースリーブ部品が前進、後退が出来、スタンパの装着保持、解除、スタンパホルダーの脱着が可能となる金型構造を有する光ディスク成形金型である。
本発明の光ディスク成形金型の一実施例について、図面を用いて説明する。
【００１０】
実施例を説明する。図１は本実施例におけるスタンパ保持方法を採用した光ディスク金型構造を示す。図１において、１は固定側金型の本体を構成する主要部分で固定側型板であり、２は可動側型板で固定側型板１と同じく金型本体を構成する主要部分である。３は固定側鏡面板で、４は可動側鏡面板で、５は外周リングで、これら３部品で光ディスク成形部２３を形成している。６は光ディスク成形品を金型から排出するためのエジェクタスリーブで、７は光ディスク成形品の中央穴をあけるパンチで、８はパンチ７をガイドするパンチガイド、７Ａはスプルーロック形状（樹脂溜り）となる部分であり、９はスプルーロックとなった樹脂を排出するためのエジェクターピンである。１０は固定側に組付ける固定型テーパリングで、１１は可動型に組付ける可動型テーパリングであり、これらが組合う事で固定型と可動型の位置合せを可能としている。
【００１１】
１２は成形機と光ディスク金型を位置決めする部品のロケートリングであり、１３は射出成形機の射出ノズルから射出された溶融樹脂を金型内の光ディスク成形部２３まで導く部品のスプルーブシュであり、１３Ａはその溶融樹脂が通る穴でスプルー穴である。１４はスタンパであり成形する光ディスクに応じて交換を必要とする。１５はスタンパホルダーであり、これでスタンパの内周部を金型に装着保持する。１６はホルダースリーブであり、ここにスタンパの内周部の穴にスタンパホルダー入れ、ホルダースリーブに挿入させる。このホルダースリーブ１６は金型内に送り込まれるエアの圧力によって前進・後退をするが、１８のエア回路Ａよりエアが送り込まれた場合は前進しスタンパ保持は解除され、１９のエア回路Ｂよりエアが送り込まれた場合は後退しスタンパ装着保持状態となる。
【００１２】
そのエアの回路Ａ、Ｂの切り替えは２０のエア切り替えバルブで行うが、エア供給は２２のエアポンプよりエアチューブ２１を通り送られる。光ディスク金型の成形において、金型より光ディスク成形品を剥離、排出時にエアブローをしている為、２２のエアポンプは本構造を採用する事で特別に準備を要するものではない。１７の部品はシリンダーであり、２４はエア漏れによるエア圧力低下を防ぐためのＯリングである。
【００１３】
図２（ａ）〜（ｆ）は実施例におけるスタンパ保持部品の構造図を示す。スタンパホルダー１５でスタンパの内周部を保持し金型に装着する。１５Ａがスタンパを引っ掛けるツメ形状、１５Ｂがツバ形状部である。ホルダースリーブ１６では、ここにスタンパの内周部の穴にスタンパホルダーを入れホルダースリーブに挿入させが、挿入後スタンパホルダーを９０°回転させる事でホルダースリーブの１６Ａの幅部、１６Ｂの溝形状の深さにてスタンパホルダーのツバ形状１５Ｂが嵌まり込み、ホルダースリーブがエアで押し上げる力が働いている間はスタンパホルダーの抜け止めとなり抜け落ちる事はない。
【００１４】
図３（ａ）〜（ｄ）は実施例の光ディスク成形金型におけるスタンパ装着保持工程の一例を示しており、以下、その手順を説明する。
１）スタンパホルダー１５にスタンパ１４を挿入する。
２）スタンパホルダーのツメ形状１５Ａにスタンパ１４を引っ掛けた状態のままホルダースリーブ１６へ挿入する。
３）ホルダースリーブ１６は駆動用のエアをエア回路Ａ（１８）より送り込まれ前進状態にある。ホルダースリーブへスタンパホルダーを挿入後９０°回転させると、スタンパホルダーツバ形状部に設けてある平らな面１５Ｃが、ホルダースリーブの溝形状部１６Ａの端面にあたり、ホルダースリーブ１６とスタンパホルダーのクランプ位置までくる。
４）ホルダースリーブ駆動用のエアをエア回路Ｂ（１９）へエア切り替えバルブ２０にて切り替える事で、ホルダースリーブ１６およびスタンパホルダー１５が後退しスタンパ１４が金型へ装着保持される。
【００１５】
実施例の光ディスク成形金型におけるスタンパ保持解除については、ホルダースリーブ駆動用のエアを、エア回路Ｂ（１９）からエア回路Ａ（１８）へエア切り替えバルブ２０にて切り替える事で、ホルダースリーブ１６およびスタンパホルダー１５が前進しスタンパ１４が金型から装着解除される。
【図面の簡単な説明】
【００１６】
【図１】実施例の光ディスク金型構造断面図。
【図２】実施例におけるスタンパ保持部品の構造図。
【図３】実施例におけるスタンパ装着保持工程図。
【符号の説明】
【００１７】
１…固定側型板、２…可動側型板、３…固定側鏡面板、４…可動側鏡面板
５…外周リング、６…エジェクタスリーブ、７…パンチ、
７Ａ…スプルーロック成形部、８…パンチガイド、９…エジェクターピン、
１０…固定型テーパリング、１１…可動型テーパリング、
１２…ロケートリング、１３…スプルーブシュ、１３Ａ…スプルー穴、
１４…スタンパ、１５…スタンパホルダー、１５Ａ…スタンパホルダーのツメ、１５Ｂ…スタンパホルダーのツバ、１５Ｃ…スタンパホルダーのツバ部平ら面、１６…ホルダースリーブ、１６Ａ…ホルダースリーブ溝形状幅部、
１６Ｂ…ホルダースリーブ溝形状深さ部、１７…シリンダー、
１８…エア回路Ａ、１９…エア回路Ｂ、２０…エア切り替えバルブ、
２１…エアチューブ、２２…エアポンプ、２３…光ディスク成形部、
２４・・・Ｏリング
【図１】
2009018444.tif 000003
【図２】
2009018444.tif 000004
【図３】
2009018444.tif 000005